(57)【要約】【課題】長さ方向は勿論のこと、横方向にもかなりの自由度を有し、柔軟性を持たせて課題を解消しようとするものである。【解決手段】宝石を収納する開口部を上部に備えた筒状収納体と、筒状収納体の側壁に設けた連結口に立設した連結ピンと、連結ピンにはめ込む連結片とを有するようにしたことを特徴とする装身具用宝石の連結機構。【選択図】          図１
2004313630.tif 000002
【特許請求の範囲】
【請求項１】
宝石を収納する開口部を上部に備えた筒状収納体と、筒状収納体の側壁に設けた連結口に立設した連結ピンと、連結ピンにはめ込む連結片とを有するようにしたことを特徴とする装身具用宝石の連結機構。
【請求項２】
連結ピンを設けた筒状収納体、および連結ピンにはめ込む連結片が、鋳造成形により一体的に形成されている請求項１に記載の装身具用宝石の連結機構。
【請求項３】
連結ピンを設けた筒状収納体、および連結ピンにはめ込む連結片が、プレス成形により一体的に形成されている請求項１に記載の装身具用宝石の連結機構。
【請求項４】
連結片が筒状収納体とともに一体的に、あるいは別個に形成されている請求項１に記載の装身具用宝石の連結機構。
【請求項５】
連結ピンが、筒状収納体の側壁に設けた連結口に１ないし複数個形成され、その数に対応して直線状もしくは平面状に連結可能とされている請求項１に記載の装身具用宝石の連結機構。
【発明の詳細な説明】
【０００１】
【発明の属する技術分野】この発明は腕時計用およびブレスレツトなどアクセサリー用の装身具用宝石の連結機構に関するものである。
【０００２】
【従来の技術】従来、駒を連結する形式のバンドは図８（実開平７−３０７２８号公報  特許文献１参照）にみられるように、交互並列する駒１０１の側端間にピン１０２を挿着して連結しているため、バンドは長手方向には伸縮性が得られるけれども、横方向にはピン１０２による拘束力によって屈曲性がほとんど得られないという問題があった。
【０００３】
【特許文献１】実開平７−３０７２８号公報
【０００４】
【発明が解決しようとする課題】そこでこの発明は、長さ方向は勿論のこと、横方向にもかなりの自由度を有し、柔軟性を持たせて上記課題を解消しようとするものである。
【０００５】
【課題を解決するための手段】すなわちこの発明の装身具用宝石の連結機構は、宝石を収納する開口部を上部に備えた筒状収納体と、筒状収納体の側壁に設けた連結口に立設した連結ピンと、連結ピンにはめ込む連結片とを有するようにしたことを特徴とするものである。
【０００６】この発明の装身具用宝石の連結機構は、上記連結ピンを設けた筒状収納体、および連結ピンにはめ込む連結片が、鋳造成形により一体的に形成されていることをも特徴としている。
【０００７】この発明の装身具用宝石の連結機構は、上記連結ピンを設けた筒状収納体、および連結ピンにはめ込む連結片が、プレス成形により一体的に形成されていることをも特徴としている。
【０００８】この発明の装身具用宝石の連結機構は、上記連結片が筒状収納体とともに一体的に、あるいは別個に形成されていることをも特徴としている。
【０００９】この発明の装身具用宝石の連結機構は、上記連結ピンが、筒状収納体の側壁に設けた連結口に１ないし複数個形成され、その数に対応して直線状もしくは平面状に連結可能とされていることをも特徴としている。
【００１０】この発明によれば、長さ方向は勿論のこと、横方向にもかなりの自由度を有し、したがってこれを適用した腕時計バンドやブレスレット、ネックレス等が柔軟性を持つようになり、手首等への装着感が飛躍的に改善され、また装飾性にも優れた装身具用宝石の連結機構を提供することが可能となった。
【００１１】
【発明の実施の形態】以下、この発明の装身具用宝石の連結機構の実施の形態を図面に基いて詳細に説明する。
図１はこの発明の装身具用宝石の連結機構の１実施例を示すものであって、筒状収納体等を鋳造成形によって形成した場合の断面図、図２はこの発明の装身具用宝石の連結機構の他の実施例を示すものであって、筒状収納体等をプレス成形によって形成した場合の側面図、図３はその展開図、図４は図３の実施例における連結ピンと連結片との関係を示す断面図、図５はそのような例を示し、（ａ）は側面図、（ｂ）は平面図、図６は他の例を示し、（ａ）は側面図、（ｂ）は平面図、図７は連結片の１例を示す平面図である。
【００１２】図１の実施例において、この発明の装身具用宝石の連結機構は、先ず種々の宝石２１を収納する開口部１２を上部に備えた筒状収納体１１と、筒状収納体１１の側壁に対向するように設けた一方の連結口１３に、底板１５から立設した連結ピン１６とを備えている。そして他方の連結口１４には、底板１５を延長して設けた連結片１７が突設され、この連結片１７に設けた連結孔１８を、他の筒状収納体１１に設けた連結ピン１６にはめ込むことにより、各筒状収納体１１が所定の方向に連結されるようになっている。
【００１３】図１の実施例における連結ピンを設けた筒状収納体、および連結ピンにはめ込む連結片は、ロストワックス法等を用いた鋳造成形により一体的に形成されている。もちろん、底板１５を同時に一体的に形成しても、上記の各部とは別個に形成してもよい。図１では、底板１５を上記各部とは別個に形成して取り付けた場合を示している。
そして、このような貴金属製の鋳造品によれば、より装飾性に富んだ装身具を提供することができる。
【００１４】図２ないし図４は連結ピンを設けた筒状収納体、および連結ピンにはめ込む連結片を、プレス成形により一体的に形成した例を示している。すなわち、予め図３に示す展開図のような形状にプレスで打ち抜かれる。３１は底板部、３２は底板部３１の対向する辺から延設した側壁部、３３は側壁部３２の長さ方向に対して横向きに延設した側板部、３４は側壁部３２と側板部３３とをまたぐよう、その長さ方向に突設した宝石を係合する爪部である。
【００１５】また、底板部３１の側壁部３２の設けていない側端には、それぞれ連結ピン３５と連結片３６とが底板部３１と一体に形成されており、連結片３６の適所には連結孔３７が設けられている。なお、この連結片３６は、底板部３１に対してそのほぼ厚さ分に等しい段差３８を持つよう形成されており、したがって連結片３６を連結ピンに取り付けた際に各筒状収納体が同じ高さで連結されるようになっている。
【００１６】以上の展開状態から次のように加工されて図２のような筒状収納体４１が組み立てられる。すなわち、底板部３１と側壁部３２との間の折り代（一点鎖線）と、側壁部３２と側板部３３との間の折り代、底板部３１と連結ピン３５との間の折り代が順次、あるいは同時にプレスで約９０°に曲げ加工され、筒状収納体４１となるのである。その際図４に示すように、上記連結片３６は、底板部３１に対してそのほぼ厚さ分に等しい段差３８を持つよう形成されており、連結片３６を連結ピン３５に取り付けた際に各筒状収納体４１が同じ高さで連結されるように配慮されている。
【００１７】図５（ａ），（ｂ）は、上記底板部とは別に設けた、連結片５２および連結ピン５３を一体に備えた連結用パーツ５１を示すものである。５４は連結片５２に設けた連結孔である。また連結片５２が段差を有するよう形成されることは上記と同様である。
【００１８】図６（ａ），（ｂ）および図７は、連結片を連結ピンとは別個に形成した場合の連結用パーツを示している。すなわち、筒状収納体の底板部には対向する辺の両側に連結ピン６１を設け、これとは別に設けた、両側に連結孔６３を形成した連結板６２を示すものである。この場合も、連結ピン６１に連結孔６３をはめ込んで連結することは上記と同様である。
【００１９】上記実施例においては、連結ピンが、筒状収納体の対向する１対の側壁に設けた連結口の一方もしくは両方に形成され、筒状収納体を直線的に連結する場合について説明したが、４つの側壁に設けた連結口にそれぞれ連結ピンや連結片を設けることにより、その数に対応して連結することにより平面状に延設することも可能である。その場合には、筒状収納体の断面形状を三角形以上の多角形とすることにより、平面的な連結のバリエーションを大幅に増やすことができる。
【００２０】なお、連結孔の形状や長さを適宜調整することにより、連結ピンに係合させた場合に所定の角度範囲で曲がることが可能であり、横方向にもかなりの自由度を持たせることができる。したがって、腕時計バンドやブレスレット、ネックレス等が柔軟性を持つようになり、手首等への装着感が飛躍的に改善されるのである。
【００２１】
【発明の効果】この発明によれば、長さ方向は勿論のこと、横方向にもかなりの自由度を有し、したがってこれを適用した腕時計バンドやブレスレット、ネックレス等が柔軟性を持つようになり、手首等への装着感が飛躍的に改善され、また装飾性にも優れた装身具用宝石の連結機構を提供することが可能となった。
【図面の簡単な説明】
【図１】この発明の装身具用宝石の連結機構の１実施例を示すものであって、筒状収納体等を鋳造成形によって形成した場合の断面図である。
【図２】この発明の装身具用宝石の連結機構の他の実施例を示すものであって、筒状収納体等をプレス成形によって形成した場合の側面図である。
【図３】その展開図である。
【図４】図３の実施例における、連結ピンと連結片との関係を示す断面図である。
【図５】そのような例を示し、（ａ）は側面図、（ｂ）は平面図である。
【図６】他の例を示し、（ａ）は側面図、（ｂ）は平面図である。
【図７】連結片の１例を示す平面図である。
【図８】駒を連結する形式のバンドにおける従来例を示す平面図である。
【符号の説明】
１１  筒状収納体
１２  開口部
１３，１４  連結口
１５  底板
１６  連結ピン
１７  連結片
１８  連結孔
２１  宝石
３１  底板部
３２  側壁部
３３  側板部
３４  爪部
３５  連結ピン
３６  連結片
３７  連結孔
３８  段差
４１  筒状収納体
５１  連結用パーツ
５２  連結片
５３  連結ピン
５４  連結孔
６１  連結ピン
６２  連結板
６３  連結孔
【図１】
2004313630.tif 000003
【図２】
2004313630.tif 000004
【図３】
2004313630.tif 000005
【図４】
2004313630.tif 000006
【図５】
2004313630.tif 000007
【図６】
2004313630.tif 000008
【図７】
2004313630.tif 000009
【図８】
2004313630.tif 000010